(57)【要約】【課題】さわやかに目覚めることができる環境システムを提供すること。【解決手段】室内の温熱状態および空気の質などの制御を行い、起床時使用者の望む快適な環境にする空調制御手段１と、入眠、起床の時刻の入力および入力された入眠や起床時刻からさわやかに目覚める快眠起床時刻を推測し、前記空調制御手段１を制御する信号を生成送信する環境コントローラ２とを備えた環境制御システムで、あらかじめ決めた起床時刻に目が覚めたのではなく、睡眠深度が浅いとき、さわやかに目覚めた場合でも、室内環境が快適な状態に制御することができる。また、睡眠深度が浅いときに、室内環境が快適であるため、睡眠深度が浅いときに目覚めることが容易である。【選択図】図１
2006292244.tif 000002
【特許請求の範囲】
【請求項１】
室内の温熱状態および空気の質などの制御を行い、起床時使用者の望む快適な環境にする空調制御手段と、入眠、起床の時刻の入力および入力された入眠や起床時刻からさわやかに目覚める快眠起床時刻を推測し、前記空調制御手段を制御する信号を生成送信する環境コントローラとを備えた環境制御システム。
【請求項２】
人の在不在、動きおよび寝返りなどを検出する体動検出手段と、前記体動検出手段の検出結果から睡眠深度やリズムを検出し、その検出結果に基づき快眠起床時刻を補正し、前記空調制御手段の動作を制御する信号を生成送信する環境コントローラとを備えた請求項１記載の環境制御システム。
【請求項３】
環境コントローラにおいて、入眠の入力時、入眠のタイミングを入力することにより、入眠時刻の検出または直接入眠時刻の入力のうち、少なくとも一つ以上の入力方法を備えた請求項１または２記載の環境制御システム。
【請求項４】
空調制御手段において、外気温、冷房や除湿や暖房などの運転モードの少なくとも一つ以上により、起床時使用者の望む快適な環境を補正する請求項１〜３のいずれか１項に記載の環境制御システム。
【発明の詳細な説明】
【技術分野】
【０００１】
本発明は、起床時快適な室内環境をつくる環境制御システムに関するものである。
【背景技術】
【０００２】
従来、起床時刻に快適な環境になるようタイマーを備えた空気調和機などが知られている。また、希望の時刻に無理なく目覚めるため、起床時刻に寝ている人にスイング気流を吹き付ける空気調和機などが知られている（たとえば特許文献１参照）。
【特許文献１】特開２００２−３４０３８５号公報
【発明の開示】
【発明が解決しようとする課題】
【０００３】
しかしながら、上記した従来の空気調和機では、さわやかに目覚めることは不十分である。それは、人体には、睡眠覚醒リズムがあり、起床時この睡眠覚醒リズムに基づく睡眠深度が浅いときに目覚めれば、さわやかであるが、逆に深いときに目覚めるのは無理なく目覚めることは困難であったり、また非常に不快である。
【０００４】
また、あらかじめ決めた起床時刻に目が覚めたのではなく、起床睡眠深度が浅いとき、さわやかに目覚めた場合、室内環境が十分に快適な環境に制御されておらず、せっかくさわやかに目覚めたのに非常に不快であったりする。
【０００５】
本発明は上記問題を解決するもので、起床時使用者の望む快適な環境にする空調制御手段と、入眠、起床の時刻の入力および入力された入眠や起床時刻からさわやかに目覚めることができる環境コントローラとを備えた環境制御システムを提供することを目的とする。
【課題を解決するための手段】
【０００６】
上記課題を解決するために、本発明の環境制御システムは、室内の温熱状態および空気の質などの制御を行い、起床時使用者の望む快適な環境にする空調制御手段と、入眠、起床の時刻の入力および入力された入眠や起床時刻からさわやかに目覚める快眠起床時刻を推測し、前記空調制御手段を制御する信号を生成送信する環境コントローラとを備えたもので、あらかじめ決めた起床時刻に目が覚めたのではなく、睡眠深度が浅いとき、さわやかに目覚めた場合でも、室内環境が快適な状態に制御することができる。また、睡眠深度が浅いときに、室内環境が快適であるため、睡眠深度が浅いときに目覚めることが容易である。
【発明の効果】
【０００７】
本発明によれば、起床時使用者の望む快適な環境にする空調制御手段と、入眠、起床の時刻の入力および入力された入眠や起床時刻からさわやかに目覚めることができる環境コントローラとを備えた環境制御システムを提供できる。
【発明を実施するための最良の形態】
【０００８】
第１の発明は、室内の温熱状態および空気の質などの制御を行い、起床時使用者の望む快適な環境にする空調制御手段と、入眠、起床の時刻の入力および入力された入眠や起床時刻からさわやかに目覚める快眠起床時刻を推測し、前記空調制御手段を制御する信号を生成送信する環境コントローラとを備えた環境制御システムで、あらかじめ決めた起床時刻に目が覚めたのではなく、睡眠深度が浅いとき、さわやかに目覚めた場合でも、室内環境が快適な状態に制御することができる。また、睡眠深度が浅いときに、室内環境が快適
であるため、睡眠深度が浅いときに目覚めることが容易である。
【０００９】
第２の発明は、人の在不在、動きおよび寝返りなどを検出する体動検出手段と、前記体動検出手段の検出結果から睡眠深度やリズムを検出し、その検出結果に基づき快眠起床時刻を補正し、前記空調制御手段の動作を制御する信号を生成送信する環境コントローラとを備えたもので、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、室内環境をより正確に快適な状態に制御することができる。また、睡眠深度が浅いときに、室内環境が快適であるため、睡眠深度が浅いときに目覚めることが容易である。
【００１０】
第３の発明は、環境コントローラにおいて、入眠の入力時、入眠のタイミングを入力することにより、入眠時刻の検出または直接入眠時刻の入力のうち、少なくとも一つ以上の入力方法を備えたもので、使用者がわずらわしい操作をすることなく、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、室内環境をより正確に快適な状態に制御することができる。また、睡眠深度が浅いときに、室内環境が快適であるため、睡眠深度が浅いときに目覚めることが容易である。
【００１１】
第４の発明は、空調制御手段において、外気温、冷房や除湿や暖房などの運転モードの少なくとも一つ以上により、起床時使用者の望む快適な環境を補正するもので、使用者がわずらわしい操作をすることなく、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、起床時使用者の望む快適な環境を補正でき、室内環境をより正確にさらに快適な状態に制御することができる。また、睡眠深度が浅いときに、室内環境がさらに快適であるため、睡眠深度が浅いときに目覚めることが容易である。
【００１２】
（実施の形態１）
以下、本発明の実施の形態について説明する。
【００１３】
空調制御手段は使用者の望む室内の温熱状態および空気の質などの制御を行うことが可能な、例えばエアコンなどの空気調和機である。環境コントローラ２は、使用者の入眠、起床の時刻の入力および入力された入眠や起床時刻からさわやかに目覚める快眠起床時刻を推測する。推測方法は、睡眠覚醒リズムに基づくものであり、一般的に睡眠深度の浅いレム睡眠の状態と深度の深いノンレム睡眠とで１サイクルとなっている。このサイクルは約９０分といわれており、このサイクルが一夜に４〜５サイクル繰り返されている。すなわち、約９０分ごとに睡眠深度の浅いレム睡眠が繰り返されており、このタイミングで、人はさわやかに目覚める場合が多い。もしくは、このタイミングで目覚めるのが最もさわやかである。
【００１４】
従って環境コントローラ２は、入力された入眠の時刻に９０分を数サイクル分考慮し、入力された起床時刻付近、もしくは起床時刻の前のレム睡眠の時刻を快眠起床時刻と推測する。ここで、使用者が入眠の入力を行う時、入眠のタイミングを入力する、または直接入眠時刻を入力する、の少なくともひとつ以上の入力方法を備えることとにより入眠時刻を自動的に検出することが可能になり、使用者がわずらわしい操作をすることを防止することができる。
【００１５】
そして、使用者が入力した起床時刻ではなく本快眠起床時刻に室内環境が快適になるよう空調制御手段１の信号を生成送信する。さらに、人の在不在、動きおよび寝返りなどを
検出する体動検出手段を設ける。本体動検出手段は、例えば赤外線センサなどである。なお、本体動検出手段は、空調制御手段１に搭載する、または体動検出手段単独に設けるなど、人の在不在、動きおよび寝返りなどを検出可能であれば、何らかまわない。
【００１６】
本体動検出手段の検出結果で体動が多い場合は、睡眠深度が浅いレム睡眠、少ない場合は深度が深いノンレム睡眠というのが、実験などから明らかになってきている。従って、入力された入眠の時刻に９０分を数サイクル分考慮し、入力された起床時刻付近、もしくは起床時刻の前のレム睡眠の時刻を快眠起床時刻と推測する。
【００１７】
さらに体動から睡眠深度やリズムを検出し、上記快眠起床時刻を、入力された起床時刻付近、もしくは起床時刻の前のレム睡眠の時刻を補正快眠起床時刻と推測する。そして、使用者が入力した起床時刻ではなく本補正快眠起床時刻に室内環境が快適になるよう空調制御手段１の信号を生成送信する。
【００１８】
また、空調制御手段１において、外気温、冷房や除湿や暖房などの運転モード、の少なくともひとつ以上により、起床時使用者の望む快適な環境を補正する。
【００１９】
例えば、外気温が低い場合や暖房運転時は、冬と推測ができる。人は冬の場合一般的に布団をかぶり寝ており、寝床内温度は約３３から３４℃くらいに安定しており、使用者が一般的に望む室温約２２℃に比べ、寝床内温度はかなり高い。従って、冬の場合は、空調制御手段１は、起床時、使用者の望む室温より例えば１〜２℃高めに補正する補正快適温度にすることにより、さらに快適な環境となる。また、起床時は体温が速やかに上昇することにより、よりさわやかに目覚めることができる。従って、前記補正快適温度にさらに１〜２℃高めにする。
【００２０】
逆に外気温が高い場合や冷房運転時は、夏と推測ができる。人は夏の場合一般的に薄い布団、または、タオルケット、人によっては何も布団をかぶらない常置亜で寝ており、寝床内温度は室内と同じくらい、または冬に比べ室温に近い。従って、夏の場合は、空調制御手段は、起床時、使用者の望む室温と同等の補正快適温度にすることにより、さらに快適な環境となる。また、起床時は体温が速やかに上昇することにより、よりさわやかに目覚めることができる。従って、前記補正快適温度にさらに１〜２℃高めにし、すなわち、冬よりも補正量の少ない補正快適温度にする。
【００２１】
以下、上記構成における作用を説明する。
【００２２】
人体には、上記のように睡眠覚醒リズムがあり、起床時この睡眠覚醒リズムに基づく睡眠深度が浅いときに目覚めれば、さわやかであるが、逆に深いときに目覚めるのは無理なく目覚めることは困難であったり、また非常に不快である。
【００２３】
上記構成により、あらかじめ決めた起床時刻に目が覚めたのではなく、睡眠深度が浅いとき、さわやかに目覚めた場合でも、室内環境が快適な状態に制御することができる。また、睡眠深度が浅いときに、室内環境が快適であるため、睡眠深度が浅いときに目覚めることが容易である。
【００２４】
また、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、室内環境をより正確に快適な状態に制御することができる。また、睡眠深度が浅いときに、室内環境が快適であるため、睡眠深度が浅いときに目覚めることが容易である。
【００２５】
また、使用者がわずらわしい操作をすることなく、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、室内環境をより正確に快適な状態に制御することができる。また、睡眠深度が浅いときに、室内環境が快適であるため、睡眠深度が浅いときに目覚めることが容易である。
【００２６】
また、使用者がわずらわしい操作をすることなく、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、起床時使用者の望む快適な環境を補正でき、室内環境をより正確にさらに快適な状態に制御することができる。
【００２７】
また、睡眠深度が浅いときに、室内環境がさらに快適であるため、睡眠深度が浅いときに目覚めることが容易である。
【００２８】
以上のように本発明によれば、あらかじめ決めた起床時刻に目が覚めたのではなく、睡眠深度が浅いとき、さわやかに目覚めた場合でも、室内環境が快適な状態に制御することができる。また、睡眠深度が浅いときに、室内環境が快適であるため、睡眠深度が浅いときに目覚めることが容易である。すなわち、さわやかに目覚めることができる。
【００２９】
また、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、室内環境をより正確に快適な状態に制御することができる。また、睡眠深度が浅いときに、室内環境が快適であるため、睡眠深度が浅いときに目覚めることが容易である。すなわち、よりさわやかに目覚めることができる。
【００３０】
また、使用者がわずらわしい操作をすることなく、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、室内環境をより正確に快適な状態に制御することができる。また、睡眠深度が浅いときに、室内環境が快適であるため、睡眠深度が浅いときに目覚めることが容易である。すなわち、容易にさわやかに目覚めることができる。
【００３１】
また、使用者がわずらわしい操作をすることなく、睡眠覚醒リズムを直接検出し睡眠深度が浅いときをより正確に検出することができ、あらかじめ決めた起床時刻に目が覚めたのではなく、睡眠深度が浅いとき、さわやかに目覚めた場合でも、起床時使用者の望む快適な環境を補正でき、室内環境をより正確にさらに快適な状態に制御することができる。また、睡眠深度が浅いときに、室内環境がさらに快適であるため、睡眠深度が浅いときに目覚めることが容易である。すなわち、容易にさわやかにさらに快適に目覚めることができる。
【図面の簡単な説明】
【００３２】
【図１】本発明の実施の形態１における環境制御システムの構成図
【符号の説明】
【００３３】
１  空調制御手段
２  環境コントローラ
【図１】
2006292244.tif 000003